(57)【要約】【課題】照明が必要な環境では、トリガースイッチの操作に応じて照明装置の照明を点灯させることができ、照明が必要でない環境では、トリガースイッチの操作が行われても、照明装置の点灯を行わないこと。【解決手段】建築用の駆動工具は、工具本体に設置されて作業対象の照明を行うことが可能な照明手段６と、工具本体に設けられる駆動手段を駆動させるためのトリガースイッチ９と、トリガースイッチ９の操作に応じて照明手段６における照明光の制御を行う照明制御手段７、１４、１５とを有している。照明制御手段７、１４、１５は、周囲の照度を検出する照度センサ７を有しており、照度センサ７により検出された照度が所定照度以下の場合にのみ、トリガースイッチ９の操作に応じて照明手段６の点消灯処理を行う。【選択図】  図３
2009012151.tif 000002
【特許請求の範囲】
【請求項１】
工具本体に設置される照明手段と、
前記工具本体に設けられる駆動手段を駆動させるためのトリガースイッチと、
該トリガースイッチの操作に応じて前記照明手段における照明光の制御を行う照明制御手段と
を有し、
前記照明制御手段は、周囲の照度を検出する照度センサを有し、該照度センサにより検出された照度が所定照度以下の場合にのみ、前記トリガースイッチの操作に応じて前記照明手段の点消灯処理を行うこと
を特徴とする建築用の駆動工具。
【請求項２】
前記照明制御手段は、タイマ手段を有し、
前記トリガースイッチがオフに操作された場合には、前記タイマ手段により所定時間経過した後に前記照明手段の消灯処理を行うことを特徴とする請求項１に記載の建築用の駆動工具。
【発明の詳細な説明】
【技術分野】
【０００１】
本発明は、工具先端部等に対して照明光を照射することが可能な照明装置を備える建築用の駆動工具に関する。
【背景技術】
【０００２】
建築現場において建築用の駆動工具を用いて作業を行う場合、作業を行う環境は必ずしも十分な照明が確保されているとは限られず、例えば夕暮れ時や夜間等に作業を行う場合や、照明が設置されていない建物内部、天井裏、建物地下などにおいて作業を行う場合も多い。
【０００３】
このように暗い作業現場では、ランタン等の照明を設置した上で作業を行うことが多いが、建材に釘やネジ等を設置する作業を行う場合には、照明を設置した場合であっても、釘やネジ等の消耗品が比較的小さくて視認しにくいため、作業が行いにくいという問題があった。
【０００４】
このような視認性の低下を克服するために、電動工具に対して着脱可能な照明装置を設置して、電動工具における作業部位（例えば、ビット先端）などを積極的に照明する方法が提案されている（例えば、特許文献１参照）。特許文献１に示される工具を用いる場合には、グリップ部（握り部）下部に設けられたライトの角度を変更することができるので、所望の方向へと照明光の向きを調整することが可能である。
【０００５】
しかしながら、上述した電動工具では、工具駆動用のトリガースイッチとは別に照明用のスイッチが設けられている。このため、例えば、工具と釘等の消耗品あるいはゲージ等の用具とをそれぞれ両方の手で持って作業を行っている最中に、照明のオン／オフ操作を行う場合には、作業を一端中断して照明をオン／オフ操作させる必要が生じるという問題があった。
【０００６】
また、例えば作業者が高齢者の場合や工具の操作に不慣れであった場合、暗い環境において照明のオン／オフ操作を行うことは容易ではなく、作業効率の低下を招くという問題があった。さらに、作業終了後に照明をオフすることを忘れてしまって、照明を点灯させたままの状態で不要に電力を消費させてしまうおそれがあった。
【０００７】
このような照明のオン／オフ操作の煩雑性を改善し、照明の消し忘れを防止するために、トリガースイッチの操作に連動させて照明のオン／オフを行う電動工具が提案されている（特許文献２参照）。
【０００８】
この電動工具を用いることによって、照明装置のスイッチを別途操作することなく、工具の操作に連動させて照明のオン／オフを行うことが可能となる。
【特許文献１】実用新案登録第２５１２３２８号公報
【特許文献２】特開平１０−３４５６４号公報
【発明の開示】
【発明が解決しようとする課題】
【０００９】
しかしながら、上述した特許文献２に係る電動工具では、トリガースイッチの操作に連動して照明装置のオン／オフ制御が行われるため、例えば、昼間等のように十分に明るい環境において作業を行う場合であっても、トリガースイッチに連動して照明装置の点灯動作が行われてしまうという問題があった。このため、不要な電力の消費を招くと共に、ＬＥＤ等の照明光源の寿命を短くしてしまうおそれがあるという問題があった。
【００１０】
本発明は、上記問題に鑑みてなされたものであり、照明が必要な環境では、トリガースイッチの操作に応じて照明装置の照明を点灯させることができ、照明が必要でない環境では、トリガースイッチの操作が行われても、照明装置の点灯が行われることのない建築用の駆動工具を提供することを課題とする。
【課題を解決するための手段】
【００１１】
上記課題を解決するために、本発明に係る建築用の駆動工具は、工具本体に設置される照明手段と、前記工具本体に設けられる駆動手段を駆動させるためのトリガースイッチと、該トリガースイッチの操作に応じて前記照明手段における照明光の照明操作を行う照明制御手段とを有し、前記照明制御手段は、周囲の照度を検出する照度センサを有し、該照度センサにより検出された照度が所定照度以下の場合にのみ、前記トリガースイッチの操作に応じて前記照明手段の点消灯処理を行うことを特徴とする。
【００１２】
本発明に係る建築用の駆動工具によれば、照度センサにより検出された照度が所定照度以下の場合にのみ、トリガースイッチの操作に応じた照明手段の点消灯処理が行われるので、作業者は、従来の工具のように別途設けられた照明装置のスイッチを操作することなく照明の点消灯操作を行うことができる。このため、照明操作に伴う操作負担の低減を図り、照明装置の消し忘れ防止を実現することが可能となる。
【００１３】
また、周囲が明るい場合など照明を使用する必要がない状況では、トリガースイッチを操作しても照明手段の点灯処理が行われないので、不用意に照明手段が点灯してしまって電力を不要に消費してしまうことを防止することができ、また、照明手段を構成する照明光源の寿命等が短くなってしまうことを防止することが可能となる。
【００１４】
さらに、上記建築用の駆動工具の前記照明制御手段が、タイマ手段を有し、前記トリガースイッチがオフに操作された場合には、前記タイマ手段により所定時間経過した後に前記照明手段の消灯処理を行うものであってもよい。
【００１５】
タイマ手段を設けることによって、トリガースイッチをオフ操作した場合であっても、しばらくの間は照明の点灯を維持することができる。このため、例えば、ネジ位置の修正等のために僅かに工具の駆動を停止させた場合であっても、急に照明が消えてネジを見失う等のトラブルを回避することが可能となり、作業性の向上を図ることが可能となる。
【発明の効果】
【００１６】
本発明に係る建築用の駆動工具を用いることによって、照度センサにより検出された照度が所定照度以下の場合にのみ、トリガースイッチの操作に応じて照明手段の点消灯処理が行われるので、照明操作に伴う操作負担の低減と、照明装置の消し忘れ防止を実現することが可能となる。
【発明を実施するための最良の形態】
【００１７】
以下、本発明に係る建築用の駆動工具について、図面を用いて詳細に説明する。
【００１８】
図１は、実施の形態に係る建築用の駆動工具の一例である電動インパクトドライバを示した側面図である。
【００１９】
電動インパクトドライバ１（駆動工具）は、本体部（工具本体）２と、グリップ部（工具本体）３と、バッテリ部４と、ビットチャック５と、照明装置（照明手段）６と、照度センサ（照明制御手段、照度センサ）７とによって概略構成されている。
【００２０】
本体部２およびグリップ部３は、樹脂製のケーシング部材によって一体に形成されており、このケーシング部材は、左右対称を成す一対の半割ケーシングによって構成されている。本体部２の内部には、図示を省略する駆動機構部（駆動手段）が内設されており、駆動機構部の駆動によってドライバビット８に回転駆動力および打撃力を付加することが可能となっている。
【００２１】
グリップ部３は、本体部２の後部より下方へと延伸形成されており、グリップ部３の前部には、ドライバビット８の回転駆動のオン／オフ操作を行うためのトリガースイッチ９と、ドライバビット８の回転方向の切り替えを行うための回転切替ボタン１０とが設けられている。操作者は、回転切替ボタン１０によってドライバビット８の回転方向を決定した後にトリガースイッチ９をオンすることにより、ドライバビット８を回転駆動させることが可能となる。
【００２２】
バッテリ部４は、グリップ部３の最下端に設けられている。バッテリ部４の前部（正面）にはラッチ（図示省略）が設けられており、このラッチを押しながらバッテリ部４をグリップ部３の下方向へと引き抜くことによって、バッテリ部４をグリップ部３から取り外すことが可能となっている。取り外されたバッテリ部４は、図示を省略した充電器に装着することによって、充電を行うことが可能となっている。
【００２３】
なお、グリップ部３の後下部には、フック３ａが設けられている。作業者は、このフック３ａに手首等を通した状態でグリップ部３を握ることによって、工具が不用意に落下してしまうことを防止することが可能となる。
【００２４】
ビットチャック５は、本体部２の先端に設けられている。ビットチャック５はドライバビット８の着脱を行うために設けられており、ビットチャック５のスリーブ５ａを本体部２に対して左方向へと回転させることによって、ドライバビット８を固定するためのツメ（図示省略）が開いてドライバビット８をセットすることが可能となる。
【００２５】
一方で、ビットチャック５のスリーブ５ａを右方向へと回転させることによって、ツメを閉塞させてドライバビット８を固定させることが可能となる。このようにビットチャック５を操作することによって、様々な種類のドライバビットを交換して取り付けることが可能となり、また装着されたドライバビット８を駆動機構部によって回転駆動させることが可能となる。
【００２６】
照明装置６は、本体部２の下部正面、より具体的には、グリップ部３と本体部２との境界近傍であってトリガースイッチ９の上方部分に設けられている。照明装置６は、ＬＥＤ光源（図２に示すＬＥＤ１参照）を照明光源として構成されており、トリガースイッチ９のオン／オフ操作に連動して照明光を発光させることが可能となっている。その詳細な発光制御については後述する。
【００２７】
照度センサ７は、本体部２の上部に設けられている。照度センサ７にはフォトトランジスタＴＲ（図２参照）が用いられており、フォトトランジスタＴＲは、光信号によって電流を制御する機能を有している。この照度センサ７によって周囲の状況（明るさ）を判断することによって、照明装置６のＬＥＤ光源（ＬＥＤ１、図２参照）を点灯させるか消灯させるかの制御が行われる。
【００２８】
図２は、上述したトリガースイッチ９と、照度センサ７と、照明装置６とを備える電動インパクトドライバ１の回路図を示したものであり、図３は各機能部の関係を示したブロック図である。
【００２９】
まず、図２に示した回路には、３ボルトのボタン電池によって構成される６ボルト電源１３が設けられている。なお、この電源１３はバッテリ部４よりその電力を供給される構成であってもよい。
【００３０】
６ボルト電源１３は、トリガースイッチ９、照度センサ７、照明装置６にそれぞれ接続されている。６ボルト電源１３が接続されるトリガースイッチ９の他端には、スイッチ保護用の電流制限抵抗Ｒ１（１０ｋΩ）が設けられており、さらに、チャタリング防止用の抵抗Ｒ２（１ｋΩ）とコンデンサＣ１（０．１μＦ）とが設けられている。ここでチャタリングとは、リレーやスイッチの接点が切り替わった際に、微細で非常に速い機械的振動によって、電気信号が断続を繰り返す現象である。このため、抵抗Ｒ２とコンデンサＣ１とを設けることによって、トリガースイッチ９のオン／オフ操作時に生じるチャタリング（信号の振れ）を安定させることが可能となる。
【００３１】
一方で、照度センサ７は、フォトトランジスタＴＲとによって構成されている。フォトトランジスタＴＲは、スイッチ保護用の電流制限抵抗Ｒ３（１ｋΩ）を介してコレクタ側に６ボルト電源１３が接続されており、エミッタ側にアースが接続されている。フォトトランジスタＴＲでは、一定以上の照度が検出された場合にコレクタからエミッタへと電流が流れる構造となっており、周囲が明るい場合には、次述する論理回路（照明制御手段）１４に対する出力がＬｏｗの状態に維持される。一方で、周囲が暗い場合には、コレクタからエミッタへと通電が遮断されるため、論理回路１４に対してＨｉの出力が維持されることとなる。
【００３２】
照明装置６は、ＬＥＤ光源を成すＬＥＤ１と、ＬＥＤ光源（ＬＥＤ１）のオン／オフ制御を行うためのトランジスタＱ１と、トランジスタＱ１の入力電流制限抵抗Ｒ４（１００ｋΩ）と、プルダウン抵抗Ｒ５（１００ｋΩ）と、トランジスタＱ１の出力電流制限を行うための抵抗Ｒ６（４．７ｋΩ）とを有している。ここでプルダウン抵抗Ｒ５は、出力がＬｏｗ状態の場合における論理回路１４の電圧を安定させるために設けられる抵抗である。
【００３３】
トランジスタＱ１のコレクタには、抵抗Ｒ６を介してＬＥＤ１が設けられている。論理回路１４の出力がＨｉに設定されると、ベースがＨｉに維持されるため、トランジスタＱ１のコレクタからエミッタに対して電流が流れてＬＥＤ１が点灯され、照明装置６において照明光が点灯されることとなる。
【００３４】
図２に示す回路図および図３に示すブロック図には、さらに、上述した論理回路１４とタイマ回路（照明制御手段、タイマ手段）１５とが設けられている。
【００３５】
論理回路１４は、照明装置６の照明光を点灯させるための条件判断を行う回路であって、
（１）タイマ回路１５を介して印加される入力電圧がＨｉ状態を維持する場合。
（２）照度センサ７により周囲の状況が一定以下の暗さであると判断されて入力電圧がＨｉ状態を維持する場合。
の両方の条件を満たす場合に、照明装置６への出力をＨｉの状態に保ち、ＬＥＤ光源（ＬＥＤ１）を点灯させる。
【００３６】
また、タイマ回路１５はトリガースイッチ９がオフされた場合であっても一定時間だけ論理回路１４への出力電圧をＨｉに維持する働きを有している。タイマ回路１５は、図２に示すようにタイマ回路１５用のコンデンサＣ２（１００μＦ）と抵抗Ｒ７（１００ｋΩ）とダイオードＤ１とによって構成されており、トリガースイッチ９がオフされた後であっても、コンデンサＣ２の静電容量に応じて一定時間だけ論理回路１４へ電流を出力して、論理回路１４の入力電圧をＨｉ状態に維持する。このコンデンサＣ２に蓄えられた静電容量により、ＬＥＤ光源（ＬＥＤ１）の消灯処理が、トリガースイッチ９のオフ操作から一定時間だけ遅れて行われることとなる。
【００３７】
なお、本実施の形態におけるコンデンサＣ２の静電容量は、トリガースイッチ９がオフされた後に、約１０秒間だけ照明装置６のＬＥＤ光源（ＬＥＤ１）を点灯させ続ける容量を備えるものとする。但し、コンデンサＣ２の静電容量は、照明装置６のＬＥＤ光源（ＬＥＤ１）を１０秒間点灯させ続けるだけの容量に限定されるものではなく、１０秒未満しか点灯させることができないものであっても、１０秒以上点灯させることができるものであってもよい。
【００３８】
図３および図２に示すように、本実施の形態に係る照明装置６では、照度センサ７により一定以上周囲が暗くなったと検出され、さらに、論理回路１４を介してトリガースイッチ９がオンになった場合に、ＬＥＤ光源（ＬＥＤ１）の点灯が行われる。
【００３９】
このため、周囲が暗い場合には、照度センサ７によって論理回路１４への入力電圧がＨｉに維持されるため、トリガースイッチ９のオン／オフ操作に連動させて照明装置６のＬＥＤ光源（ＬＥＤ１）を点灯させることが可能となる。従って、作業者は、従来の工具のように別途設けられた照明装置のスイッチを操作することなく、トリガースイッチ９の操作に応じて照明の点消灯処理を行うことができ、照明操作に伴う操作負担の低減と、照明装置の消し忘れ防止を実現することが可能となる。
【００４０】
また本発明に係る駆動工具には、タイマ回路１５が設けられているため、周囲が暗くなった状態においてトリガースイッチ９がオフに操作された場合であっても、トリガースイッチ９がオフ操作されてから約１０秒間（より詳細には、コンデンサＣ２によって蓄えられる電子が放出されるまでの間）、ＬＥＤ光源（ＬＥＤ１）の点灯が継続して行われる。
【００４１】
このため、トリガースイッチ９をオフに操作しても、しばらくの間は照明の点灯を維持することができるので、例えば、ネジ位置の修正等のために僅かに工具の駆動を停止させた場合であっても、急に照明が消えてネジを見失ってしまう等のトラブルを回避することができ、作業性の向上を図ることが可能となる。
【００４２】
さらに、周囲が明るい状態では、照度センサ７によって論理回路１４への出力電圧がＬｏｗに維持されるため、トリガースイッチ９のオン／オフ操作に係わらず照明装置６のＬＥＤ光源（ＬＥＤ１）が消灯された状態となる。このため、周囲が明るく、照明を使用する必要がない状況において、不用意にＬＥＤ光源（ＬＥＤ１）が点灯してしまって不要な電力の消費を招くことを防止することができると共に、ＬＥＤ光源（ＬＥＤ１）等の照明光源の寿命が短くなってしまうことを防止することができる。
【００４３】
以上、本発明に係る建築用の駆動工具について図面を用いて詳細に説明を行ったが、本発明に係る建築用の駆動工具は上述した実施の形態に示した内容に限定されるものではない。いわゆる当業者であれば、特許請求の範囲に記載された範疇内において、各種の変更例または修正例に想到し得ることは明らかであり、それらについても当然に本発明の技術的範囲に属する。
【００４４】
例えば、上記実施の形態では、照明光源としてＬＥＤ光源（ＬＥＤ１）を用いた場合について説明を行ったが、照明光源はＬＥＤ光源に限定されるものではなく、例えば電球等の他の光源を利用するものであってもよい。
【００４５】
また、実施の形態に係る建築用の駆動工具では、照明装置６を本体部２の下部正面、より具体的には、グリップ部３と本体部２との境界近傍であってトリガースイッチ９の上方部分に設ける構造について説明を行ったが、照明装置６の設置位置はこの場所に限定されるものではない。例えば、本体部２の上部正面位置（例えば、ビットチャック５の上側位置）や、本体部２の側部前方位置等であっても、照明光をドライバビット８の先端方向等へと照射することができ、作業において邪魔にならない位置等であれば、どの場所に照明装置６が設置されるものであってもよい。
【００４６】
さらに、上述した実施の形態では、建築用の駆動工具の一例として、電動インパクトドライバを用いて説明を行ったが、本発明に係る建築用の駆動工具は電動インパクトドライバに限定されるものではない。建築用の駆動工具は、工具先端に設置されるビットを回転駆動等させる構造を備えた工具であれば、電動で駆動されるものであっても、圧縮空気を利用して駆動されるものであってもよく、またドライバ工具だけでなく、締め付け工具、打ち込み工具、孔開け工具等の各種工具が本発明に係る建築用の駆動工具に含まれる。
【図面の簡単な説明】
【００４７】
【図１】実施の形態に係る電動インパクトドライバを示した外観側面図である。
【図２】実施の形態に係る電動インパクトドライバにおける回路図を示した図である。
【図３】実施の形態に係る電動インパクトドライバにおける各種機能部の関係を示したブロック図である。
【符号の説明】
【００４８】
１     …電動インパクトドライバ（駆動工具）
２     …本体部（工具本体）
３     …グリップ部（工具本体）
３ａ   …フック
４     …バッテリ部
５     …ビットチャック
５ａ   …スリーブ
６     …照明装置（照明手段）
７     …照度センサ（照明制御手段、照度センサ）
８     …ドライバビット
９     …トリガースイッチ
１０   …回転切替ボタン
１３   …６ボルト電源
１４   …論理回路（照明制御手段）
１５   …タイマ回路（照明制御手段、タイマ手段）
Ｃ１、Ｃ２   …コンデンサ
Ｄ１   …ダイオード
ＬＥＤ１  …ＬＥＤ光源
Ｑ１   …トランジスタ
Ｒ１、Ｒ２、Ｒ３、Ｒ４、Ｒ５、Ｒ６、Ｒ７   …抵抗
ＴＲ   …フォトトランジスタ
【図１】
2009012151.tif 000003
【図２】
2009012151.tif 000004
【図３】
2009012151.tif 000005